(57)【要約】【課題】  視機能障害を定量的に検査、測定することのできる視機能検査装置を提供する。【解決手段】  被検眼に呈示する視標を表示する表示手段と、該表示手段の検査画面の背景輝度に対して高い輝度を持つ視標を該視標の見え具合を定量的に確認するための目盛とともに、或いは前記検査画面の背景輝度に対して高い輝度を持つ複数の視標を被検眼が持つ視機能障害を定量的に確認することができる所定の形状となるように配列して、前記表示手段の検査画面に検査視標を形成する視標形成手段と、を有する。【選択図】      図２
2006212103.tif 000002
【特許請求の範囲】
【請求項１】
被検眼に呈示する視標を表示する表示手段と、該表示手段の検査画面の背景輝度に対して高い輝度を持つ視標を該視標の見え具合を定量的に確認するための目盛とともに、或いは前記検査画面の背景輝度に対して高い輝度を持つ複数の視標を被検眼が持つ視機能障害を定量的に確認することができる所定の形状となるように配列して、前記表示手段の検査画面に検査視標を形成する視標形成手段と、を有することを特徴とする視機能検査装置。
【請求項２】
請求項１の視機能検査装置は、さらに前記表示手段に形成された前記視標に掛からない検査画面の背景の少なくとも一部の領域に，被検眼を縮瞳させるための所定輝度を有する照明部を形成するための照明部形成手段を有することを特徴とする視機能検査装置。
【請求項３】
請求項２の視機能検査装置は、前記照明部形成手段によって検査画面上に形成される照明部の輝度を変更するための輝度変更手段を有することを特徴とする視機能検査装置。
【請求項４】
請求項１の視機能検査装置において、視標の見え具合を定量的に確認するための形状とは、検査画面中央に一つの視標が形成されると共に該視標を中心として所定間隔にて同心状に並べられる目盛を有した形状であることを特徴とする視機能検査装置。
【請求項５】
請求項１の視機能検査装置において、視標の見え具合を定量的に確認するための形状とは、同一形状からなる複数の視標をＶ字型に配置することよりなる形状であることを特徴とする視機能検査装置。
【発明の詳細な説明】
【技術分野】
【０００１】
本発明は、被検眼の夜間視機能障害を定量的に測定することのできる視機能検査装置に関する。
【背景技術】
【０００２】
従来、夜間での視力がどのくらいであるかを定量的に測定するために、被検眼に一定時間照明光を照射し明順応させた後、照明光を消し、低照度にて呈示する視標を判別できる時間を計測することにより夜間視力を測定する装置が知られている（特許文献１参照）。また、近年エキシマレーザ等を用いて角膜の曲率矯正を行い、眼の屈折力を変化させる術式が知られている。このような屈折矯正手術を行うことにより、矯正視力は良好となるが、一方で夜間時に光の滲み（ハロー）やコマ収差が生じて見えにくくなるという視機能障害が報告されている。
【特許文献１】特開平１１−１７８７９４号公報
【発明の開示】
【発明が解決しようとする課題】
【０００３】
特許文献１に開示されるような夜間視力を測定する装置では、前述した視機能障害を定量的に測定する機能を有しておらず、ハロー等の視機能障害を定量的に検査、測定することができないのが現状である。
上記従来技術の問題点に鑑み、視機能障害を定量的に検査、測定することのできる視機能検査装置を提供することを技術課題とする。
【課題を解決するための手段】
【０００４】
上記課題を解決するために、本発明は以下のような構成を備えることを特徴とする。
（１）  被検眼に呈示する視標を表示する表示手段と、該表示手段の検査画面の背景輝度に対して高い輝度を持つ視標を該視標の見え具合を定量的に確認するための目盛とともに、或いは前記検査画面の背景輝度に対して高い輝度を持つ複数の視標を被検眼が持つ視機能障害を定量的に確認することができる所定の形状となるように配列して、前記表示手段の検査画面に検査視標を形成する視標形成手段と、を有することを特徴とする。
（２）  （１）の視機能検査装置は、さらに前記表示手段に形成された前記視標に掛からない検査画面の背景の少なくとも一部の領域に，被検眼を縮瞳させるための所定輝度を有する照明部を形成するための照明部形成手段を有することを特徴とする。
（３）  （２）の視機能検査装置は、前記照明部形成手段によって検査画面上に形成される照明部の輝度を変更するための輝度変更手段を有することを特徴とする。
（４）  （１）の視機能検査装置において、視標の見え具合を定量的に確認するための形状とは、検査画面中央に一つの視標が形成されると共に該視標を中心として所定間隔にて同心状に並べられる目盛を有した形状であることを特徴とする。
（５）  （１）の視機能検査装置において、視標の見え具合を定量的に確認するための形状とは、同一形状からなる複数の視標をＶ字型に配置することよりなる形状であることを特徴とする。
【発明の効果】
【０００５】
本発明によれば、ハロー等の視機能障害を定量的に検査、測定することができる。
【発明を実施するための最良の形態】
【０００６】
本実施の形態を図面に基づいて説明する。図１は本実施形態の視機能検査装置の概略構成を示した図である。１は汎用品であるパーソナルコンピュータ（以下、ＰＣと記す）であり、内部にＣＰＵからなる制御部２、種々のプログラムを記憶するハードディスク等の記憶部３を備える。記憶部３には、被検眼の視機能を検査（測定）するための視機能検査プログラムが記憶されており、このプログラムを実行することにより視機能検査を行うことができる。４は液晶モニタやＣＲＴ等のディスプレイであり、ＰＣ１に接続され、後述する視機能検査用の視標を表示する表示手段となる。５はマウス、キーボード等のプログラムを進行させるための操作手段であり、ＰＣ１に接続されている。
【０００７】
記憶部３に記憶される視機能検査プログラムを操作手段５の操作によって実行すると、制御部２はプログラムに基づいて所定の検査視標をディスプレイ４に表示させる。なお、ディスプレイ４に表示される検査視標は、目的に応じて複数用意されており、操作手段５の操作によってディスプレイ４の画面に種々切り換えて表示される。
【０００８】
図２は、ディスプレイ４に表示される検査視標の第１の表示例を示した図であり、ハロー（光の滲み）を検査するための画面構成を示した図である。
図２（ａ）に示すように、ディスプレイ４の検査画面の中央には、その形状（輪郭）を視認することができる程度の大きさを有した検査視標１０（図では円形状）が、白色等の輝度の高い視標として形成されている。１１は目盛であり、ディスプレイ４の検査画面上に、検査視標１０を中心として上下左右方向に一定の間隔（本実施形態では９０°間隔）で複数個形成されている。、一方、ディスプレイ４の検査画面の背景１００は、黒色等の輝度の低い暗い画面となっている。なお、各目盛１１の近傍に、その目盛に対応する英数字や記号等をすることもできる。また、目盛１１の形成も９０°間隔ではなく、４５°間隔等の所定の間隔を有しながら、目盛の軸線が検査視標中心で交わるような放射状に形成されていてもよい。
【０００９】
被検眼の視機能検査を行う場合には、夜間時と同じ状況とするために、検査室を暗くして、できるだけ被検眼の瞳孔を大きく開けておくようにする。検者は、操作手段５を操作し、記憶部３に記憶されている視機能検査用プログラムを実行する。制御部２は実行されたプログラムに基づいて、ディスプレイ４の検査画面の背景１００を暗くするとともに、図２（ａ）に示した検査視標１０及び目盛１１を表示させ、被検者に検査視標を呈示させる。被検者は所定距離離れた位置から、ディスプレイ４の検査画面上に呈示された検査視標１０を見る。
【００１０】
被検者が夜間時にハローを感じる場合、図２（ｂ）に示すように、検査画面上に呈示される明るい検査視標１０の周囲に、ハロー１２が確認されることとなる。検者は被検者に対して、ディスプレイ４の検査画面に呈示される検査視標５０に生じるハロー１２が目盛１１の何個目まで掛かっているかを答えさせる。目盛１１の近傍に英数字や記号等が表示されている場合には、その数字等を答えさせればよい。被検者の回答は、操作手段５によってＰＣ１の記憶部３に記憶させることもできるし、所定の用紙に回答結果を記入するようにしてもよい。
このように検査視標１０に確認されるハロー１２の大きさを目盛１１によって判断することによって、被検者（被検眼）が持つ視機能障害の度合いを定量的に検査することができる。
また、操作手段５を用いてディスプレイ４の検査画面に、被検眼を所定量縮瞳させるための明るい画像からなる照明部を形成することもできる。図３は図２（ａ）に示した検査画面に照明部１３を形成した構成を示す図である。
【００１１】
操作手段５を用いてディスプレイ４の検査画面上に照明部１３を形成する旨の信号を制御部２に送ると、制御部２は検査画面の所定位置に設定した輝度を有する照明部１３を画像として形成する。本実施形態では、図３に示すように、検査画面の四隅に円形状の照明部１３を形成するものとしているが、これに限るものではなく、画面の背景輝度を変更させ、被検眼を縮瞳させるために、少なくとも検査視標１０に掛からない検査画面上の所定位置に種々の形状にて形成されていればよい。また、ディスプレイ全体の光量を調節して被検眼の縮瞳を行うようにしてもよい。
【００１２】
なお、このように検査画面に形成される照明部１３の輝度は、操作手段５の操作により、種々変更することも可能である。例えば、操作手段５となるキーボードを操作し、ディスプレイ４の画面上に照明部の輝度設定画面を呼び出しておき、マウスやキーボードの操作により、輝度を設定すればよい。このような設定は検査前や検査視標の呈示中に行うことができる。
【００１３】
図３に示すように、所定輝度を有する照明部１３がディスプレイ４の検査画面上に形成されると、被検眼は所定量縮瞳することとなる。このような状態で目盛１１にかかるハローの範囲を確認することにより、縮瞳による収差の現象が見え方に変化を及ぼすか知ることができる。前述同様に被検者の回答は、操作手段５によってＰＣ１の記憶部３に設定した輝度値とともに記憶させることもできるし、所定の用紙に回答結果を記入するようにしてもよい。
【００１４】
本実施形態の視機能検査装置は、一般的に知られている視力検査装置のように、背景が明るい中で輝度の低い検査視標を呈示して検査を行うのではなく、輝度の低い暗い背景の中に明るい検査視標を呈示する構成とすることにより、被検眼が持つ視機能障害を効果的に抽出することができ、視機能を定量的に検査、測定することができる。
【００１５】
次に、ディスプレイ４に表示される検査視標の第２の表示例を図４に示す。２０は楕円視標２２が横Ｖ字型に多数配列することにより形成される検査視標（視標群）であり、２１は楕円視標２２が縦Ｖ字型に多数配列することにより形成される検査視標（視標群）である。検査視標２０は被検眼が持つ垂直方向のコマ収差を定量的に求める場合に、検査視標２１は水平方向のコマ収差を定量的に求める場合に各々用いられる。
図４に示す個々の楕円視標２２は、同一の楕円形状を有しており、図示するようにＶ字型に並ぶ視標同士の向き合う方向に、楕円の長径が向くように配置されている。各楕円視標２２は、白色等の輝度の高い明るい視標であり、一方、ディスプレイ４の検査画面の背景１００は、前述同様に黒色等の輝度の低い暗い画面となっている。
【００１６】
被検眼の視機能検査を行う場合には、夜間時と同じ状況とするために、検査室を暗くして、できるだけ被検眼の瞳孔を大きく開けておくようにする。検者は、操作手段５を操作し、記憶部３に記憶されている視機能検査用プログラムを実行する。制御部２は実行されたプログラムに基づいて、ディスプレイ４の検査画面の背景１００を暗くするとともに、図４に示した検査視標２０及び検査視標２１を表示させ、被検者に検査視標を呈示する。被検者は所定距離離れた位置から、ディスプレイ４の検査画面上に呈示された検査視標２０及び検査視標２１を見る。
【００１７】
被検眼に垂直方向或いは水平方向にコマ収差が生じている場合、楕円視標２２の像が流れて楕円が大きくなり、向き合う楕円視標２２同士が重なり合うように見えることとなる。検者は、検査視標２０に対しては、右（又は左）から何段目で楕円視標２２同士が重なって見えるのか、検査視標２１に対しては、下（又は上）から何段目で楕円視標２２同士が重なって見えるのかを被検者に答えさせる。被検者の回答は、前述同様に操作手段５によってＰＣ１の記憶部３に記憶させることもできるし、所定の用紙に回答結果を記入するようにしてもよい。
【００１８】
このように、ディスプレイ４の検査画面上に呈示される検査視標２０および検査視標２１において、何段目の楕円視標２２同士が重なって見えるのかを確認することにより、被検眼が有するコマ収差の度合いを定量的に検査することが可能となる。また、このような検査視標を用いることにより、直乱視、倒乱視を直感的に捉えることも可能である。
なお、本実施形態における第２の表示例では、ディスプレイ４の検査画面の背景を暗くした上で、その背景上に明るい楕円形状の視標を連続的に２列に並べるとともに、向き合う楕円視標同士の間隔を変えていくことよりなるＶ字型に配置する構成としているが、これに限るものではない。検査画面の背景の輝度を低くし、背景の輝度に対して検査視標の輝度を十分高くした状態で、コマ収差による像の流れを定量的に測定できる視標の形状及び配置を有していればよい。
【００１９】
次に、ディスプレイ４に表示される検査視標の第３の表示例を図５に示す。図５は、ＲＫ（radical keratomy）等の角膜に放射状に切り込みを入れて屈折矯正を行う手術を行った後、術後の患者眼に生じ易いスターバスト（光がはじけて見える）を検査するための画面構成を示した図である。前述同様に検査画面の背景１００は、輝度の低い暗い画面となっており、その中央付近に小さな輝点を模した複数の視標３１をＶ字型に配列した視標群よりなる検査視標３０が形成されている。各視標３１は全て同一形状であり、他の図に示した検査視標と同様に白色等の輝度の高い視標にて形成されている。このように形成された検査視標３０を被検者に呈示し、スターバストを確認させる。なお、検査視標としては、単に一つの視標３１のみをディスプレイ４の検査画面に呈示することも可能であるが、このようなＶ字型の配列にて検査視標を呈示することにより、収差の大きい眼では自覚しやすくなるという利点がある。
また、図４や図５に示した検査画面においても、図３に示したような照明部を画面に形成し、被検眼を縮瞳させて視機能障害が減るかを確認できることは言うまでもない。
さらに、その他の検査画面の構成として、暗い背景で明るく小さな視標を呈示し、視標の形やサイズ等を答えさせるようにすることもできる。
【図面の簡単な説明】
【００２０】
【図１】本実施形態における視機能検査装置の制御系を示したブロック図である。
【図２】本実施形態における検査画面の第１の例を示した図である。
【図３】被検眼を縮瞳させるための照明部を検査画面に表示した例を示した図である。
【図４】本実施形態における検査画面の第２の例を示した図である。
【図５】本実施形態における検査画面の第３の例を示した図である。
【符号の説明】
【００２１】
１  パーソナルコンピュータ
２  制御部
３  記憶部
４  ディスプレイ
５  操作部
１０  検査視標
１１  目盛
１００  画面背景
【図１】
2006212103.tif 000003
【図２】
2006212103.tif 000004
【図３】
2006212103.tif 000005
【図４】
2006212103.tif 000006
【図５】
2006212103.tif 000007